(57)【要約】【課題】加熱時に食材から出る油や煮汁等による汚れの面倒な清掃作業を簡単かつ確実に行なえるようにする。【解決手段】ロースター部Ｄ２内の構造として、外装ケース１に固定されるアウターグリル２１とその内部に装脱着自在に収容されるインナーグリル２２とから構成する。また、インナーグリル２２内部に配設される上側ヒーター２３の脚部２３−１と下側ヒーター２４の脚部２４−１は、アウターグリル２１の背板２１−４に装着した取付金具５と、アウターグリル２１外部の外装ケース１に装着した補強金具６とにより固定し、インナーグリル２２の形状として底板２２−１と側板２２−２，２２−３と天板２２−４によって四方を塞ぎ油漏れによる汚れの付着を防ぐ。【選択図】  図２
2004229801.tif 000002
【特許請求の範囲】
【請求項１】
外装ケース内部に加熱調理器としてロースター部が搭載されたクッキングヒーター装置であって、
上記ロースター部は、
上記外装ケース内部に固定され、前面が開口された箱型のアウターグリルと、
上記アウターグリル内部に装脱着自在に収容され、前面と背面を除いて壁面で塞がれた筒型のインナーグリルと、
上記インナーグリル内部に配設されるヒーターと、を備え、
上記ヒーターは、上記アウターグリル内壁面と、上記アウターグリル外部の外装ケース内壁面の両壁面に固定されている
ことを特徴とするクッキングヒーター装置。
【請求項２】
上記ヒーターの固定構造において、ヒーターの脚部が、アウターグリルの背板内壁面に装着された固定金具と、アウターグリルの背板外壁面と外装ケースの底板内壁面に装着された補強金具とによって固定されていることを特徴とする請求項１に記載のクッキングヒーター装置。
【請求項３】
上記補強金具は、上側補強金具と下側補強金具とから構成され、上側補強金具は断面コ字状を有するとともに下側補強金具は断面Ｌ字状の先端を折り曲げた台座と左右両側の側板とを有し、下側補強金具の台座に載置されたヒーター脚部は上側補強金具のコ字状開口部を被せて固定され、下側補強金具の側板は、アウターグリル外部の排気ダクトと、ロースター部とコントローラ部とを仕切る仕切り板とに固定される構造であることを特徴とする請求項２に記載のクッキングヒーター装置。
【請求項４】
上記アウターグリルとインナーグリルとの装脱着構造において、インナーグリルの装着時にインナーグリルのアウターグリル外部への飛び出しを防ぐロック機構を備えていることを特徴とする請求項１に記載のクッキングヒーター装置。
【請求項５】
上記ロック機構は、インナーグリルをアウターグリル内部にスライド挿入したときに、インナーグリルの天板上面に設けられた突起を乗り越えて押さえ付けるアウターグリルの天板下面に設けられた板バネ部と、アウターグリルの底板上面に設けられた凹部に嵌合するインナーグリルの底板下面に設けられた凸部とを備えた構造であることを特徴とする請求項４に記載のクッキングヒーター装置。
【請求項６】
上記ヒーターは、インナーグリル内部に置かれる食材が両面焼き可能となるように上側ヒーターと下側ヒーターの２つのヒーターを備えることを特徴とする請求項１乃至請求項５のいずれかに記載のクッキングヒーター装置。
【請求項７】
上記外装ケース内部には、ロースター部の他の加熱調理器として、磁力発生コイルとガラス製のトッププレートから構成された電磁誘導加熱部が設置されていることを特徴とする請求項１乃至請求項６のいずれかに記載のクッキングヒーター装置。
【発明の詳細な説明】
【０００１】
【発明の属する技術分野】
本発明は、システムキッチンに組み込まれるビルトイン型のクッキングヒーター装置に関し、特に、加熱調理器として搭載されるロースター部の構造を改良したものである。
【０００２】
【従来の技術】
近年、一般家庭の厨房では、外観見栄えを重視したシステムキッチンが主流となってきている。このようなシステムキッチンにおいては、ガスコンロ等の火力を用いる調理機器に替えて、安全性を考慮したビルトイン型のクッキングヒーター装置が多用されている。
【０００３】
この種のクッキングヒーター装置は、システムキッチンのカウンタートップに一体に組み込まれるもので、外装ケース内部に設置された加熱調理用の電磁誘導加熱部の他に、外装ケース内部に加熱調理用のロースターが搭載されている。ロースターは、一般に外装ケース内部にグリル庫が固定され、グリル庫内部に食材加熱用のヒーターが配設された構造となっている。
【０００４】
ところで、クッキングヒーター装置に搭載されるロースターは、魚や肉等の食材を載置した焼き網をグリル庫内部に収容し、ヒーターで食材を加熱して調理するものであるが、加熱時に食材から出る油や煮汁によってグリル庫内部の壁面が汚れるものである。通常、この手の汚れの清掃は、グリル庫内部に直接手を入れて布巾等で汚れを拭き取ることで行なっている。ところが、グリル庫内部に突き出たヒーターが邪魔になり奥の方の汚れまではうまく除去することができず、グリル庫内部の壁面全体をきれいに清掃するのは極めて困難な作業である。
【０００５】
一方、上記のような清掃時の作業性を考慮して、グリル庫内部が分割構造のロースターを搭載したクッキングヒーター装置も提案されている（例えば、特許文献１参照）。
【０００６】
【特許文献１】
特開２００２−２７２６２３号公報
【０００７】
このロースターは、グリル庫内部の構造が底板と左右側板と上板を組み合わせた枠体で構成され、この枠体の上板と左右側板とを脱着して丸洗いできる構造となっている。
【０００８】
しかしながら、通常グリル庫内部に配設されるヒーターは、ロースター内の広範囲に亘って張り巡らされており、ヒーターの脚部がグリル庫内部の背面のみで支持されていることから安定性が悪く、ヒーターがぐらついていると上板や左右側板を取り出す際に接触する恐れがある。
【０００９】
そこで、ヒーターがグリル庫内部で不用意に動かないように堅固に固定することが必要であるが、従来はグリル庫内部の２つ以上の壁面でヒーターを支えるものとしている。例えば、特許文献２に示すように、ヒーターの脚部がグリル庫内部の背面に装着された金具で固定されている場合には、ヒーターの頭部をグリル庫内部の別の壁面に装着された補助金具で支えるようにしている。
【００１０】
【特許文献２】
特開平６−２８４９７６号公報（図１２参照）
【００１１】
すると、取り外しする上板や左右側板には必然的にこの補助金具を逃げるためのスリットを形成しなければならなくなり、加熱時に食材から出た油や煮汁がこのスリットから漏れ出して外部のグリル庫内壁面が汚れてしまうという不具合が生じる。
【００１２】
このように、従来では、分割構造のロースターが搭載されたクッキングヒーター装置であっても、取り外した部品の清掃に加えてグリル庫内壁面も清掃しなければならないのが実情であり、油汚れの清掃には多大な労力を要しているという問題点がある。
【００１３】
【発明が解決しようとする課題】
本発明は、上記のような問題点に鑑みてなされたものであり、その目的とするところは、加熱時に食材から出る油や煮汁等による汚れの面倒な清掃作業を簡単かつ確実に行なうことができるクッキングヒーター装置を提供することにある。
【００１４】
【課題を解決するための手段】
上記目的を達成するために、本発明に係るクッキングヒーター装置は、外装ケース内部に加熱調理器としてロースター部が搭載されたクッキングヒーター装置であって、ロースター部は、外装ケース内部に固定され、前面が開口された箱型のアウターグリルと、アウターグリル内部に装脱着自在に収容され、前面と背面を除いて壁面で塞がれた筒型のインナーグリルと、インナーグリル内部に配設されるヒーターと、を備え、ヒーターは、アウターグリル内壁面と、アウターグリル外部の外装ケース内壁面の両壁面に固定されていることを特徴とする。
【００１５】
また、本発明では、ヒーターの固定構造において、ヒーターの脚部が、アウターグリルの背板内壁面に装着された固定金具と、アウターグリルの背板外壁面と外装ケースの底板内壁面に装着された補強金具とによって固定されていることを特徴とする。
【００１６】
ここで、補強金具は、上側補強金具と下側補強金具とから構成され、上側補強金具は断面コ字状を有するとともに下側補強金具は断面Ｌ字状の先端を折り曲げた台座と左右両側の側板とを有し、下側補強金具の台座に載置されたヒーター脚部は上側補強金具のコ字状開口部を被せて固定され、下側補強金具の側板は、アウターグリル外部の排気ダクトと、ロースター部とコントローラ部とを仕切る仕切り板とに固定される構造を採用することができる。
【００１７】
さらに、アウターグリルとインナーグリルの装脱着構造において、インナーグリルの装着時にインナーグリルのアウターグリル外部への飛び出しを防ぐロック機構を備えていることが好ましい。
【００１８】
このようなロック機構としては、インナーグリルをアウターグリル内部にスライド挿入したときに、インナーグリルの天板上面に設けられた突起を乗り越えて押さえ付けるアウターグリルの天板下面に設けられた板バネ部と、アウターグリルの底板上面に設けられた凹部に嵌合するインナーグリルの底板下面に設けられた凸部とを備えた構造を採用することができる。
【００１９】
尚、本発明において、ヒーターは、インナーグリル内部に置かれる食材が両面焼き可能となるように上側ヒーターと下側ヒーターの２つのヒーターを備えていても良い。また、外装ケース内部には、ロースター部の他の加熱調理器として、磁力発生コイルとガラス製のトッププレートから構成された電磁誘導加熱部を設置することも可能である。
【００２０】
【発明の実施の形態】
以下、本発明の実施の形態について添付図面を参照しながら詳細に説明する。図１は本発明に係るクッキングヒーター装置の全体構造を示す外観斜視図、図２は図１に示すＩＩ−ＩＩ線断面図、図３は図１に示すＩＩＩ−ＩＩＩ線断面図、図４は図１に示すＩＶ−ＩＶ線断面図である。
【００２１】
本実施形態のクッキングヒーター装置Ｄは、外装ケース１内部に加熱調理器が搭載されたビルトイン型装置であり、システムキッチンのカウンタートップに一体品として組み込まれる（図１参照）。また、このクッキングヒーター装置Ｄは、加熱調理器として電磁誘導加熱部Ｄ１とロースター部Ｄ２とが搭載され、両加熱調理器の制御を行なうためのコントローラ部Ｄ３を備えている。
【００２２】
外装ケース１は、底板１−１の左右両側に立設された側板１−２，１−３を備えた断面コ字状に成形される（図２参照）。外装ケース１の内側空間部Ｓは、底板１−１の中央に立設された左右仕切り板２と、左右仕切り板２上端の取付片２−１上に装着された上下仕切り板３とにより正面からみてＴ字状に仕切り形成され、上方側空間部Ｓ１、下方左側空間部Ｓ２、下方右側空間部Ｓ３の３つの空間部に区画されている。
【００２３】
上方側空間部Ｓ１には加熱調理器として電磁誘導加熱部Ｄ１が収容される。電磁誘導加熱部Ｄ１は、上下仕切り板３上に設置された複数の磁力発生コイル１１，１１，…と、これら磁力発生コイル１１上面全体に覆い被さるガラス製のトッププレート１２とから構成され、トッププレート１２上に金属製の調理用鍋が置かれる。また、電磁誘導加熱部Ｄ１は後述するコントローラ部Ｄ３によって制御され、磁力発生コイル１１に電流が流されるとコイル１１に発生した磁力線がトッププレート１２を介して鍋底に作用し、金属製の鍋全体に生じる渦電流により発熱して鍋内部の食材が加熱調理される。
【００２４】
尚、トッププレート１２の奥側には、ロースター部Ｄ２で発生する熱風や煙を排気するための排気口１３−１と、電磁誘導加熱部Ｄ１とコントローラ部Ｄ３とを冷却した風を排気する排気口１３−２，１３−３とが開口されており、排気口１３−１〜１３−３上には複数の貫通孔を有する排気口カバー１４が載置されている（図１参照）。
【００２５】
下方左側空間部Ｓ２には加熱調理器としてロースター部Ｄ２が収容される。このロースター部Ｄ２は、外装ケース１内部に固定されるアウターグリル２１と、アウターグリル２１内部に装脱着自在に収容されるインナーグリル２２とからなる分割構造が採用されており、インナーグリル２２を脱着してその内壁面に付着した汚れを丸洗いできる構造となっている。また、インナーグリル２２の内部には、上側ヒーター２３と下側ヒーター２４の上下２つのヒーターが配設されており、両ヒーター２３，２４間に挿入される焼き網２７に載せた魚や肉等の食材Ｆは、ひっくり返さずに両面焼き可能となっている。
【００２６】
尚、加熱調理時に食材Ｆから出る油や煮汁は、焼き網２７の下に置かれた受皿２８内に捕獲され、受皿２８を取り出すことで容易に除去できる。
【００２７】
下方右側空間部Ｓ３には電磁誘導加熱部Ｄ１とロースター部Ｄ２の両加熱調理器の制御を行なうコントローラ部Ｄ３が収容される。コントローラ部Ｄ３には、外装ケース１内に設置された収容ケース３１に制御回路基板３２等からなる制御機器が内蔵されている（図２参照）。また、外装ケース１外部には、電源スイッチ、電力調節用ボタン、タイマー設定ボタン等の操作部３３が設けられている（図１参照）。
【００２８】
上述した電磁誘導加熱部Ｄ１の磁力発生コイル１１やコントローラ部Ｄ３の制御回路基板３２はその構成上熱を蓄えて高温となり易い。そこで、本実施形態では熱による故障を防ぐために以下のような空冷手段が設けられている。
【００２９】
まず、電磁誘導加熱部Ｄ１には磁力発生コイル１１の前段に送風ファン１５が設置されている（図４参照）。送風ファン１５を作動させると、図４中矢印で示すように外装ケース１外部の吸気口４から外気が吸気され、高温となった磁力発生コイル１１を空冷した後に電磁誘導加熱部Ｄ１後方の排気口１３−２から排気される。
【００３０】
また、コントローラ部Ｄ３には制御回路基板３２の前段に吸気ファン３４が、制御回路基板３２の後段に排気ファン３５が設置されている（図３参照）。吸気ファン３４と排気ファン３５を作動させると、図３中矢印で示すように外装ケース１外部の吸気口４から外気が吸気され、高温となった制御回路基板３２を空冷した後に電磁誘導加熱部Ｄ１後方の排気口１３−３から排気される。
【００３１】
尚、ロースター部Ｄ２では特にファンは設けられていないが、ロースター扉２９を開けて吸気された外気が、図４中矢印で示すように自然対流によってアウターグリル２１後段の排気ダクト２５を経由して排気口１３−１へと流れ、ロースター部Ｄ２は自然冷却される。
【００３２】
次に、このクッキングヒーター装置に搭載されるロースター部の構造について図２乃至図８に基づいてさらに詳細に説明する。尚、図５は図３に示すＶ部拡大詳細図、図６は図４に示すＶＩ部拡大詳細図、図７はアウターグリルの構造を示す平面図、図８はインナーグリルの構造を示す平面図である。
【００３３】
ロースター部Ｄ２は、下方左側空間部Ｓ２に配置されるものであり、アウターグリル２１、インナーグリル２２、上側ヒーター２３、下側ヒーター２４、排気ダクト２５、およびアウターグリルカバー２６を備えて大略構成されている（図２〜図４参照）。
【００３４】
アウターグリル２１は、下方左側空間部Ｓ２の奥側に排気ダクト２５のスペースを残して収容できるサイズとされている（図６参照）。アウターグリル２１は、底板２１−１に立設された左右両側の側板２１−２，２１−３と背板２１−４とを備え、前面と上面が開口された箱型形状に成形されて外装ケース１に固定される（図７参照）。
【００３５】
底板２１−１の上面手前側には凹部２１ａが刻設され、背板２１−４の左上方には排気ダクト２５を装着するための取付孔２１ｂが開口されている。また、側板２１−２，２１−３は、先端が外側に向けて折曲形成されるとともに手前側から背板２１−４側に向けて緩やかに上る傾斜が付けられている。この傾斜によって、従来グリル庫内で滞留しがちであった煙や熱風は、アウターグリル２１内部の壁面に沿って上昇し、アウターグリル２１後段の排気ダクト２５から排気口１３−１へとスムーズに流れるようになる。
【００３６】
一方、インナーグリル２２は、底板２２−１に立設された左右両側の側板２２−２，２２−３と天板２２−４とを備えている（図８参照）。インナーグリル２２は、前面と背面が開口された筒型形状に成形されてアウターグリル２１内部に装脱着自在に収容される。
【００３７】
底板２２−１の下面手前側には、アウターグリル２１の凹部２１ａと嵌合する凸部２２ａが形成されており、インナーグリル２２をスライド挿入したときに両者が嵌合してロックされ、インナーグリル２２の不用意な飛び出しを防ぐことができる。
【００３８】
また、インナーグリル２２の前面開口部は、底板２２−１、側板２２−２，２２−３、天板２２−４の先端を外側に折り曲げた折曲部２２ｂが設けられている。この折曲部２２はアウターグリル２１の壁面に引掛かり、インナーグリル２２がアウターグリル２１内部に必要以上に入り込むのを防ぐストッパとして機能している。さらに、天板２２−４の上面手前側には後述するロック機構を構成する突起２２ｃが設けられている。
【００３９】
尚、食材の加熱で発生する煙や熱風を外部のアウターグリル２１へと逃がすために、天板２２−３の手前側には複数のスリット２２ｄ，２２ｄ，…が貫通形成されている。
【００４０】
排気ダクト２５は、全体がＬ字状に折曲成形された筒型形状を有している（図４、図６参照）。また、排気ダクト２５の下端開口部２５ａはアウターグリル２１の取付孔２１ｂに連結され、上端開口部２５ｂはトッププレート１２の奥側に設けられた排気口１３−１に連結されている。
【００４１】
アウターグリルカバー２６は、アウターグリル２１の上面開口部を蓋する平板状に成形されており、アウターグリル２１の上面開口部を蓋する機能と、インナーグリル２２の不用意な飛び出しを防ぐロック機能の両機能を兼ね備えるものである（図４、図７参照）。
【００４２】
すなわち、アウターグリルカバー２６の奥側には、排気ダクト２５の下端開口部２５ａからの排煙漏れを防ぐために排気ダクト２５を覆う鍔部２６−１が突設されている。一方、アウターグリルカバー２６の手前側には、その先端を内側に２段階に折り曲げてＬ字状に成形した板バネ部２６−２が設けられている。この板バネ部２６−２は、アウターグリル２１内部にスライド挿入したインナーグリル２２の天板２２−１上面を押さえ付けながら進み、突起２２ｃを乗り越えて天板２２−１の折曲部２２ｂと突起２２ｃとの間に嵌まり込むことでロックされ、インナーグリル２２の飛び出しを防止できる。
【００４３】
尚、本実施形態ではアウターグリル２１とアウターグリルカバー２６が別体として構成されているが、両者を一体に成形しても良い。
【００４４】
ところで、本実施形態では、ヒーターはインナーグリル２２内部に張り巡らされた上側ヒーター２３と下側ヒーター２４の２つのヒーターで構成され、食材Ｆを両面焼きできるようになっている。そして、両ヒーター２３，２４がインナーグリル２２内部でぐらつかないように堅固に固定するために、取付金具５と補強金具６の２つの金具による固定構造を採用し、特に補強金具６をアウターグリル２１の外部に配設した点に特徴がある（図５、図６参照）。
【００４５】
取付金具５には上側ヒーター２３の脚部２３−１が挿入される挿通孔５ａが形成されている。脚部２３−１が挿入された取付金具５はアウターグリル２１の背板２１−４内壁面に装着される。下側ヒーター２４の脚部２４−１も同様に取付金具５によりアウターグリル２１の背板２１−４内壁面に固定される。
【００４６】
一方、補強金具６はアウターグリル２１外部の外装ケース１内壁面に装着されるもので、上側補強金具６−１と下側補強金具６−２の２部品で構成されている。上側補強金具６−１は断面コ字状を有し、下側補強金具６−２は断面Ｌ字状の先端が折り曲げられた高さの異なる上下２段の台座６−２ａ，６−２ｂと左右の側板６−２ｃ，６−２ｄとを有している。
【００４７】
この補強金具６は、下側補強金具６−２の底面が外装ケース１の底板１−１に固定され、左右の側板６−２ｃと６−２ｄがそれぞれ排気ダクト２５の外壁面と仕切り板２の内壁面に固定される。また、台座６−２ａ，６−２ｂには、アウターグリル２１外部に突出した上側ヒーター２３の脚部２３−１と下側ヒーター２４の脚部２４−１がそれぞれ載置され、その上から上側補強金具６−１のコ字状開口部を下向きに被せて固定される。
【００４８】
このように、上側ヒーター２３と下側ヒーター２４は、取付金具５と補強金具６の２つの金具によって、アウターグリル２１内壁面、排気ダクト２５外壁面、仕切り板２内壁面の３つの壁面に固定されるため、インナーグリル２２内部で脱落したり上下左右にぐらつくことなく堅固に配設できる。
【００４９】
また、補強金具６をアウターグリル２１の外部に配置する構造を採用したことにより、アウターグリル２１内部には背板２１−４に装着された取付金具５のみしかなく、インナーグリル２２に従来のような補強金具を逃げるためのスリットを形成する必要がなくなる。このため、インナーグリル２２は、図８に詳細に示したように前面と背面を除く全ての面を壁面で塞ぐことができ、従来のようにスリットからの油漏れによりアウターグリル２１内壁面に汚れが付着することを効果的に防止し得る。よって、アウターグリル２１は清掃の必要がなくインナーグリル２２のみを取り外して丸洗いすれば良いため、従来に比して簡単かつ確実に汚れの清掃作業を行なうことができる。
【００５０】
【発明の効果】
以上詳細に説明したように、本発明に係るクッキングヒーター装置によれば、ロースター部内は外装ケースに固定されるアウターグリルとアウターグリル内部に装脱着自在に収容されるインナーグリルの分割構造を採用したことにより、加熱時に食材から出る油や煮汁等による汚れはインナーグリルを取り外して丸洗いでき、ロースター部内を常に清潔に保つことができる。
【００５１】
また、インナーグリル内部に配設されるヒーターは、アウターグリル内部の背板に装着された取付金具と、アウターグリル外部の外装ケースに装着された補強金具によってぐらつくことなく堅固に固定できる。よって、補強金具がアウターグリルの外部に配置されて邪魔にならず、アウターグリル内部には背板に装着された取付金具しかないため、インナーグリルは前面と背面を除く四方を壁面で塞ぐことができ、油漏れによるアウターグリル内壁面の汚れの付着を効果的に防止できる。
【図面の簡単な説明】
【図１】本発明に係るクッキングヒーター装置の全体構造を示す外観斜視図。
【図２】図１に示すＩＩ−ＩＩ線断面図。
【図３】図１に示すＩＩＩ−ＩＩＩ線断面図。
【図４】図１に示すＩＶ−ＩＶ線断面図。
【図５】図３に示すＶ部拡大詳細図。
【図６】図４に示すＶＩ部拡大詳細図。
【図７】アウターグリルの構造を示す平面図。
【図８】インナーグリルの構造を示す平面図。
【符号の説明】
Ｄ  クッキングヒーター装置
１  外装ケース
１−１  底板
１−２，１−３  側板
２  左右仕切り板
２−１  取付片
３  上下仕切り板
４  吸気口
５  取付金具
５ａ  挿通孔
６  補強金具
６−１  上側補強金具
６−２  下側補強金具
６−２ａ，６−２ｂ  台座
６−２ｃ，６−２ｄ  側板
Ｓ  内側空間部
Ｓ１  上方側空間部
Ｓ２  下方左側空間部
Ｓ３  下方右側空間部
Ｄ１  電磁誘導加熱部
１１  磁力発生コイル
１２  トッププレート
１３−１，１３−２，１３−３  排気口
１４  排気口カバー
１５  送風ファン
Ｄ２  ロースター部
２１  アウターグリル
２１−１  底板
２１−２，２１−３  側板
２１−４  背板
２１ａ  凹部
２１ｂ  取付孔
２２  インナーグリル
２２−１  底板
２２−２，２２−３  側板
２２−４  天板
２２ａ  凸部
２２ｂ  折曲部
２２ｃ  突起
２２ｄ  スリット
２３  上側ヒーター
２３−１  脚部
２４  下側ヒーター
２４−１  脚部
２５  排気ダクト
２５ａ  下端開口部
２５ｂ  上端開口部
２６  アウターグリルカバー
２６−１  鍔部
２６−２  板バネ部
２７  焼き網
２８  受皿
２９  ロースター扉
Ｄ３  コントローラ部
３１  収容ケース
３２  制御回路基板
３３  操作部
３４  吸気ファン
３５  排気ファン
Ｆ  食材
【図１】
2004229801.tif 000003
【図２】
2004229801.tif 000004
【図３】
2004229801.tif 000005
【図４】
2004229801.tif 000006
【図５】
2004229801.tif 000007
【図６】
2004229801.tif 000008
【図７】
2004229801.tif 000009
【図８】
2004229801.tif 000010